(57)【要約】【課題】  洋装に適しているとともに、着付けるに際し労力の軽減を図ることが可能な遺体用の衣服等の提供。【解決手段】  １枚の布地によって形成され、布地の一端側（肩線、袖ぐり線、右脇線）と、対応する他端側とを面ファスナー２０Ａ，２０Ｂを介して重ね合わせることによって衣服の形態をなす身頃部１２と、身頃部１２に取り付けられた左右の袖部１４，１６とを備え、身頃部１２の胸部に胸当て部２２を設け、胸当て部２２には冷却材を収納するポケット２４を取り付けてなるとともに、袖部１４，１６の袖ぐりの内径を３５ｃｍ〜３８ｃｍに形成している。【選択図】        図１
0003126175.tif 000002
【実用新案登録請求の範囲】
【請求項１】
１枚の布地によって形成され、該布地の一端側と、対応する他端側とを面ファスナーを介して重ね合わせることによって衣服の形態をなす身頃部と、該身頃部に取り付けられた左右の袖部とを備え、前記身頃部の胸部に胸当て部を設け、該胸当て部には冷却材を収納するポケットを取り付けてなるとともに、前記袖部の袖ぐりの内径は３５ｃｍ〜３８ｃｍに形成されていることを特徴とする遺体用の衣服。
【請求項２】
底部と、該底部に沿って取り付けられた１枚の布地とを備えて形成されていることを特徴とする遺体用の靴下。
【請求項３】
遺体の指が挿入される輪状の通し環が、請求項１に記載の遺体用衣服の前記袖口の内側端部に設けられているともに、遺体の手を覆う筒状の手袋であって、前記袖口の通し環を、該手袋に設けられた通し孔に挿入するとともに、指を該通し環に通すようにしたことを特徴とする遺体用の手袋。
【請求項４】
遺体の頭部を覆う帽子であって、１枚の布地で形成されているとともに、後頭部に引っ掛けて固定する少なくとも２本以上のゴム紐を備えたことを特徴とする遺体用の帽子。
【考案の詳細な説明】
【技術分野】
【０００１】
本考案は、遺体用の衣服に関し、特に洋装の遺体用の衣服、靴下、手袋、帽子に関する。
【背景技術】
【０００２】
一般に、遺体には経かたびらと言われる白い木綿の和装の着物が着せられるとともに、足には白足袋を履かせていた。一方、近年では故人の個性を重視する傾向から、故人が生前愛用していた洋装の衣服を着用させる場合も多い。
他方、遺体は死後硬直が進むため、遺体に死装束としての衣服を着せる場合は数人がかりでの作業を余儀なくされるなど、着付けるに際しての作業はかなりの労力と時間を必要としている。
【０００３】
そこで、このような着付けに要する作業負担を軽減するとともに、着付けた際の不自然さを防止することを目的として、実用新案登録第3100855号公報記載の考案が提案されている。同公報記載の遺体用仏衣は、遺体の胸部付近を上衣部で包むとともに、左右の袖部によって左右の腕を包みこみ、下衣部により下半身を包むようになっており、上衣部、下衣部、袖部等を１枚のシート状に形成してなることを特徴としている。これにより、遺体に着付ける際に、容易且つ確実な着付けが可能になるとともに、着付けの不自然さがないとされている。
【特許文献１】実用新案登録第3100855号公報
【考案の開示】
【考案が解決しようとする課題】
【０００４】
しかしながら、前述した文献１記載の考案は、１枚のシート状に形成されているために、デザインに制約があり、和服に類似したデザインとならざるを得ないという課題があった。
【０００５】
本考案は、このような諸事情に対処するために提案されたものであって、特に洋装に適しているとともに、遺体に着付けるに際しての労力の軽減を図ることが可能な遺体用の衣服等を提供することを目的とする。
【課題を解決するための手段】
【０００６】
上記目的を達成するために、請求項１記載の考案は、１枚の布地によって形成され、該布地の一端側と、対応する他端側とを面ファスナーを介して重ね合わせることによって衣服の形態をなす身頃部と、該身頃部に取り付けられた左右の袖部とを備え、前記身頃部の胸部に胸当て部を設け、該胸当て部には冷却材を収納するポケットを取り付けてなるとともに、前記袖部の袖ぐりの内径は３５ｃｍ〜３８ｃｍに形成されていることを特徴とする。
【０００７】
請求項２記載の考案は、底部と、該底部に沿って取り付けられた１枚の布地とを備えて形成されていることを特徴とする。
【０００８】
請求項３記載の考案は、遺体の指が挿入される輪状の通し環が、請求項１に記載の遺体用衣服の前記袖口の内側端部に設けられているともに、遺体の手を覆う筒状の手袋であって、前記袖口の通し環を、該手袋に設けられた通し孔に挿入するとともに、指を該通し環に通すようにしたことを特徴とする。
【０００９】
請求項４記載の考案は、遺体の頭部を覆う帽子であって、１枚の布地で形成されているとともに、後頭部に引っ掛けて固定する少なくとも２本以上のゴム紐を備えたことを特徴とする。
【考案の効果】
【００１０】
上述のように、請求項１記載の考案によれば、１枚の布地によって身頃部を形成するとともに、面ファスナーによって衣服の形態をなすようにしているために、遺体に衣服を着付ける際の作業負担を大幅に低減することができる。また、袖部の袖ぐりの内径を、３５ｃｍ〜３８ｃｍに形成したので、遺体の腕が曲がったままでも袖に腕を通すことが可能である。
【００１１】
特に、請求項２記載の考案の靴下によれば、底部に沿って取り付けられた１枚の布地によって靴下を形成しているので、靴下の内側に角がなくなり、遺体へ容易に履かせることができるようになる。
【００１２】
特に、請求項３記載の考案の手袋によれば、遺体の指が挿入される輪状の通し環を袖口に設けているとともに、この通し環を、手袋に設けられた通し孔に挿入するようにしている。このため、手を組んだ遺体の場合でも手袋を容易に着用させることができる。
【００１３】
特に、請求項４記載の考案の帽子によれば、１枚の布地で形成され、後頭部に引っ掛けて固定する少なくとも２本以上のゴム紐を備えている。これにより、帽子を頭部に被せた場合の安定性が向上し、帽子のずれを防止することができる。
【考案を実施するための最良の形態】
【００１４】
以下、本考案に遺体用の衣服等について添付図面を参照して説明する。図１は本考案の一つの実施形態に係る遺体用衣服の正面側を示した図、図２は背面側を示した図である。
【００１５】
図１及び図２に示されるように、本実施形態の遺体用衣服１０は、身頃部１２と、右側袖部１４と、左側袖部１６と、襟部１８等とを主要な構成要素としている。身頃部１２は１枚のシート状の布地によって形成され、遺体の大部分を覆うことができる長さ、大きさを有している。右側の胸部付近の一端側には、面ファスナー２０Ａ，２０Ａ・・が肩線、袖ぐり線、右脇線に沿って複数取り付けられているとともに、一端側と重ね合わせられる他端側には、対応する位置に面ファスナー２０Ｂ，２０Ｂ，・・が取り付けられ、これらの一端側と他端側とを重ね合わせることによって下前持ち出しとなり、図２に示されるように、１枚の衣服としての形状をなすようになっている。面ファスナーとしては、商品名マジックテープ、ベルクロなどが好適に使用される。このように、肩線、袖ぐり線、並びに右脇線同士は、面ファスナー２０Ａ，２０Ｂによって着脱が容易であり、着せ替えなどに際して素早く脱着を行うことができるようになっている。
【００１６】
図１に示されるように、右側袖部１４と、左側袖部１６の袖ぐりの内径寸法Ｌ１は、３５ｃｍ〜３８ｃｍ程度に形成され、例えばひじの曲がった遺体の場合でも、容易に袖に腕を通すことが出来るように配慮されている。
【００１７】
胸部付近には、胸当て部２２が身頃部１２の一端側の肩線、袖ぐり線から延出して取り付けられており、遺体の胸の大部分を覆うようになっている。胸当て部２２には、大型のポケット２４が取り付けられており、このポケット２４には遺体を冷却するためのドライアイスなどの冷却材を収納することができるようになっている。また、襟部１８には、寸法を調整するためのアジャスターとしての紐２６が取り付けられ、首回りのサイズの異なる遺体にも対応することができるようになっている。さらに、右側袖部１４と、左側袖部１６の各袖口にはギャザー２８が設けられ、遺体の手の甲に、その一部がかかるようになっている。
【００１８】
なお、図１及び図２には、図示していないが、布地には裏地を裏打ちしてもよい。例えば、透け易い布地の場合は、２枚の裏地を裏打ちする、透けにくい布地の場合は１枚だけ裏地を裏打ちするようにする。また、２枚の裏地を裏打ちする場合は、裏打ちする裏地は、１枚の丈は長めに、もう１枚は短めにして段差をつけることによって裏地の厚みによる影響を少なくすることができる。或いは、表の布地よりも裏地を長くするようにしてもよい。これによれば、２枚の衣装を着用しているように見せることができるとともに、裏地によって遺体に着用されている下着などが透けるのを防ぐことができる。
【００１９】
さらに、図１及び図２の実施形態では、肩線、袖ぐり線、並びに右脇線同士の着脱方法として、面ファスナー２０Ａ，２０Ｂを使用しているが、これに限らず、面ファスナー２０Ａ，２０Ｂの代わりに、紐によって固定することも可能である。この場合は、紐同士を結ぶ位置を変えることによって様々な遺体のサイズに対応させることができる利点を有している。
【００２０】
図３は、袖口と遺体用の手袋との関係を示した図である。図３（Ａ）に示されるように、袖口３０には、指を通すための環状の通し環３２が取り付けられている。また、図３（Ｂ）は手袋３４を示しており、同図に示されるように、手袋３４は、筒状に形成され、中ほどの下側に指を通すための通し孔３６が設けられている。手袋３４を装着する場合は、図３（Ｃ）に示されるように、袖口３０の通し環３２を通し孔３６Ａに挿入し、その状態で通し環３２に指を通すことにより、手袋３４を着用した状態で、袖口３０を固定することができる。また、手を組んだ遺体の場合は、１本の指を通し環３２、通し孔３６に通せばよいために、手を組んだ状態でも手袋３４を容易に着用させることが可能である。
【００２１】
図４は遺体用の帽子を示した図である。同図に示されるように、帽子４０は、中縫いした筒状の布を、頭部の形状に合わせてタック４２を寄せながら、ゴム紐４４を両側に取り付けることによって形成されている。ゴム紐４４は、前部ゴム紐４４Ａと、後部ゴム紐４４Ｂとに分割されている。遺体に帽子４０を被せる場合は、図４（Ｃ）に示されるように、後頭部に前部ゴム紐４４Ａと、後部ゴム紐４４Ｂとをそれぞれ引っ掛けるようにして取り付ける。このため、帽子４０全体は頭部の形状に沿うようになって安定性がよくなり、ずれることが少なくなる。
【００２２】
図５は遺体用のズボンを示した図である。図５に示されるズボン５０は、ウエストサイズを調整するためのアジャスター紐５２等を備えている。図５（Ａ）はズボン５０をやや右側前方から視た図，図５（Ｂ）はズボン５０の正面側を示した図、図５（Ｃ）はズボン５０の背面側を示した図である。このうち、図５（Ａ）に示されるように、右脇線の寸法Ｌ２は、少なくとも３５ｃｍ以上に空けて形成され、例えば遺体に厚めの下着やオムツなどが着せられている場合でも、右脇線が大きく開くことにより容易且つ迅速にズボン５０を着用させることができる。
【００２３】
また、図５（Ｂ）に示されるように、アジャスター紐５２はズボン５０の右側手前から後ろ側にかけて巻き回され、着用する遺体のウエスト寸法に合わせて左側手前で結ぶことによって調節することが可能になっている。なお、寸法の調節は、図５（Ｃ）に示されるように、左側のウエスト部分をタックによってウエスト寸法を小さくすることができるとともに、ズボン５０の両サイドを利用して寸法調整を行っていること、右側のウエストの部分が重なる打ち合わせ部分５４を多く採るようにしていることと併せ、遺体に対するズボン５０の中心線をずらすことなく、遺体のウエストサイズに合わせて調節し、ぴったりとズボン５０をはかせることができる。
【００２４】
図６は遺体用の靴下を示した図で、このうち、図６（Ａ）は布地を裁断した状態を示した図であり、同図に示されるように、靴下６０は底部６２と、布地６４とから構成されている。靴下６０は、底部６２に合わせて布地６４を縫い合わせることによって袋状に形成され、図６（Ａ）の実線に示す位置にゴム紐６６を取り付けると、図６（Ｂ）に示す状態から図６（Ｃ）に示す状態となって、足に履かせることが可能になる。このように、底部６２以外の部分を１枚裁ちの布地６４で形成することにより足の形を作り出すようにしているために、靴下６０の内側に角がなくなり、又、ゴム紐６６のところで縫い止めるようにしているために、履かせ易く、且つ脱ぎ易くなる。
【００２５】
図７は他の実施形態に係る遺体用衣服の正面図である。同図に示される遺体用衣服７０は、内側に取り付けられているネーム織り７２の取付方法に特徴を有し、具体的には、図７（Ｂ）に示されるように、背中の布地を後中心のタック７４を設け、タック７４の裏側にネーム織り７２を取り付けている。このために、表側からネーム織り７２を縫い付けたときに生じた縫い目が隠され、美観に優れている。
【００２６】
以上のように、本実施形態によれば、遺体に着用させる場合に、死後硬直が進みつつある場合でも、容易に且つ速やかに着付ける作業を行うことができるとともに、着付けた後も衣服や帽子がずれないという長所を有する。
【００２７】
なお、本実施形態では、図１に示されるように、胸当て部２２に冷却材を収納するポケット２４を設けたが、胸当て部２２に限らず、外部より見えない打ち合わせ部分を例えば腹部などに形成し、当該部分に冷却材を収納するポケットを取り付けることも可能である。
【産業上の利用可能性】
【００２８】
以上説明したように、本考案によれば、遺体に着付ける際に、無理なく行うことができ、作業者の労力を大幅に低減することが可能となっている。また、着用後も乱れがなく、故人に対する尊厳を重視した姿を保持することができる。
【図面の簡単な説明】
【００２９】
【図１】本考案の一つの実施形態に係る遺体用の衣服の正面側を示した図である。
【図２】同じく、本考案の一つの実施形態に係る遺体用の衣服の背面側を示した図である。
【図３】同じく、本考案の一つの実施形態に係る遺体用の手袋を示した図であって、特に袖口と手袋との関係を示した図である。
【図４】同じく、本考案の一つの実施形態に係る遺体用の帽子を示した図である。
【図５】同じく、本考案の一つの実施形態に係る遺体用のズボンを示した図である。
【図６】同じく、本考案の一つの実施形態に係る遺体用の靴下を示した図である。
【図７】他の実施形態に係る遺体用衣服の正面図である。
【符号の説明】
【００３０】
１０  遺体用衣服
１２  身頃部
１４  右袖部
１６  左袖部
１８  襟部
２０Ａ  ２０Ｂ  面ファスナー
２２  胸当て部
２４  ポケット
２６  紐
２８  ギャザー
３０  袖口
３２  通し環
３４  手袋
３６  通し孔
４０  帽子
４２  タック
４４  ゴム紐
４４Ａ  前部ゴム紐
４４Ｂ  後部ゴム紐
５０  ズボン
５２  アジャスター紐
５４  打ち合わせ部分
６０  靴下
６２  底部
６４  布地
６６  ゴム紐
７０  遺体用衣服
７２  ネーム織り
７４  タック
【図１】
0003126175.tif 000003
【図２】
0003126175.tif 000004
【図３】
0003126175.tif 000005
【図４】
0003126175.tif 000006
【図５】
0003126175.tif 000007
【図６】
0003126175.tif 000008
【図７】
0003126175.tif 000009
【手続補正書】
【提出日】平成18年8月1日(2006.8.1)
【手続補正１】
【補正対象書類名】実用新案登録請求の範囲
【補正対象項目名】全文
【補正方法】変更
【補正の内容】
【実用新案登録請求の範囲】
【請求項１】
１枚の布地によって形成され、該布地の一端側と、対応する他端側とを面ファスナーを介して重ね合わせることによって衣服の形態をなす身頃部と、該身頃部に取り付けられた左右の袖部とを備え、前記身頃部の胸部に胸当て部を設け、該胸当て部には冷却材を収納するポケットを取り付けてなるとともに、前記袖部の袖ぐりの内径は３５ｃｍ〜３８ｃｍに形成されていることを特徴とする遺体用の衣服。
【請求項２】
底部と、該底部に沿って取り付けられた１枚の布地とを備えて形成された靴下であって、該靴下を請求項１記載の遺体用の衣服と併せて着用することを特徴とする遺体用の衣服。
【請求項３】
遺体の指が挿入される輪状の通し環が、前記袖口の内側端部に設けられているともに、遺体の手を覆う筒状の手袋であって、前記袖口の通し環を、該手袋に設けられた通し孔に挿入するとともに、指を該通し環に通すことによって、該手袋を請求項１又は２に記載の遺体用の衣服と併せて着用することを特徴とする遺体用の衣服。
【請求項４】
遺体の頭部を覆う帽子であって、１枚の布地で帽子が形成されているとともに、後頭部に引っ掛けて固定する1本のゴム紐を前記布地の両側に、該１本のゴム紐の両側の一部分を取り付けることにより、該１本のゴム紐を前部ゴム紐と後部ゴム紐とに分割して用いるようにし、該帽子を請求項１乃至３に記載の遺体用の衣服と併せて着用することを特徴とする遺体用の衣服。
【手続補正２】
【補正対象書類名】明細書
【補正対象項目名】０００７
【補正方法】変更
【補正の内容】
【０００７】
請求項２記載の考案は、底部と、該底部に沿って取り付けられた１枚の布地とを備えて形成された靴下であって、該靴下を請求項１記載の遺体用の衣服と併せて着用することを特徴とする。
【手続補正３】
【補正対象書類名】明細書
【補正対象項目名】０００８
【補正方法】変更
【補正の内容】
【０００８】
請求項３記載の考案は、遺体の指が挿入される輪状の通し環が、前記袖口の内側端部に設けられているともに、遺体の手を覆う筒状の手袋であって、前記袖口の通し環を、該手袋に設けられた通し孔に挿入するとともに、指を該通し環に通すことによって、該手袋を請求項１又は２に記載の遺体用の衣服と併せて着用することを特徴とする。
【手続補正４】
【補正対象書類名】明細書
【補正対象項目名】０００９
【補正方法】変更
【補正の内容】
【０００９】
請求項４記載の考案は、遺体の頭部を覆う帽子であって、１枚の布地で帽子が形成されているとともに、後頭部に引っ掛けて固定する1本のゴム紐を前記布地の両側に、該１本のゴム紐の両側の一部分を取り付けることにより、該１本のゴム紐を前部ゴム紐と後部ゴム紐とに分割して用いるようにし、該帽子を請求項１乃至３に記載の遺体用の衣服と併せて着用することを特徴とする。
【手続補正５】
【補正対象書類名】明細書
【補正対象項目名】００１５
【補正方法】変更
【補正の内容】
【００１５】
図１及び図２に示されるように、本実施形態の遺体用衣服１０は、身頃部１２と、右側袖部１４と、左側袖部１６と、襟部１８等とを主要な構成要素としている。身頃部１２は１枚のシート状の布地によって形成され、遺体の大部分を覆うことができる長さ、大きさを有している。右側の胸部付近の一端側には、面ファスナー２０Ａ，２０Ａ・・が肩線、袖ぐり線、右脇線に沿って複数取り付けられているとともに、一端側と重ね合わせられる他端側には、対応する位置に面ファスナー２０Ｂ，２０Ｂ，・・が取り付けられ、これらの一端側と他端側とを重ね合わせることによって下前持ち出しとなり、図２に示されるように、１枚の衣服としての形状をなすようになっている。面ファスナーとしては、商品名マジックテープ（登録商標）、ベルクロ（登録商標）などが好適に使用される。このように、肩線、袖ぐり線、並びに右脇線同士は、面ファスナー２０Ａ，２０Ｂによって着脱が容易であり、着せ替えなどに際して素早く脱着を行うことができるようになっている。